(57)【要約】【課題】簡単な構造でありながら電気部品及び内部の温度上昇を抑えることができる電源分配ユニット及び該電源分配ユニットを備えた電子接続箱を提供する。【解決手段】電気接続箱１は箱本体２と電源分配ユニット３とを備えている。電源分配ユニット３はリレー２２を実装した第一のバスバー４５とヒューズ２０を介して第一のバスバー４５と電気的に接続される第二のバスバー４３とケース２１とを備えている。リレー２２と第二のバスバー４３とは互いに接触するように配置されている。第二のバスバー４３はケース２１の外部に露出した露出部４８を備えている。リレー２２が放出する熱は第二のバスバー４３に伝達される。第二のバスバー４３に伝達された熱は露出部４８から放熱される。【選択図】図３
2008125304.tif 000002
【特許請求の範囲】
【請求項１】
第一の電気部品を実装した第一のバスバーと、
第二の電気部品を介して前記第一のバスバーと電気的に接続される第二のバスバーと、
前記第一のバスバーと前記第二のバスバーとを収容するケースと、を備えた電源分配ユニットにおいて、
前記第一の電気部品と前記第二のバスバーとを互いに接触させるように配置したことを特徴とする電源分配ユニット。
【請求項２】
前記第二のバスバーが、前記ケースの外部に露出した露出部を備えたことを特徴とする請求項１記載の電源分配ユニット。
【請求項３】
箱本体と、前記箱本体に取り付けられる電源分配ユニットと、を備えた電気接続箱において、前記電源分配ユニットとして請求項１または請求項２記載の電源分配ユニットを備えたことを特徴とする電気接続箱。
【発明の詳細な説明】
【技術分野】
【０００１】
本発明は、移動体としての自動車等に搭載される電源分配ユニットと該電源分配ユニットを備えた電気接続箱に関する。
【背景技術】
【０００２】
移動体としての自動車には、一般に、ヘッドランプ及びテールランプなどのランプ類、スタータモータ及びエアコンディショナ用のモータ等のモータ類等の多種多様な電子機器が搭載されている。これら電子機器に電力を供給するために、自動車は、ジャンクションブロックを適宜箇所に配置している。ジャンクションブロックは、多数のヒューズやリレー等の各種の電気回路ユニットを集約して構成されている。
【０００３】
なお、ジャンクションブロックは、ヒューズ、リレーやバスバーなどを有することもあることから、ヒューズブロック、リレーボックス、又は総称して電気接続箱とも呼ばれる。本明細書では、前述したヒューズブロック、リレーボックスやジャンクションブロックを、総称して以下電気接続箱と呼ぶ。
【０００４】
電気接続箱には、前述したリレーやヒューズ等の電気部品や、回路基板等が装着される。自動車に搭載される電子機器の増加に伴い、電気接続箱に装着される電気部品が増加して、電気部品や回路基板等が放出する熱のために電気接続箱内の温度が上昇するという問題がある。
【０００５】
また、電気接続箱には、リレー等の電気部品を内部に収容した電源分配ユニットが装着されることもある。電源分配ユニット内も同様に、電気部品が放出する熱のために温度が上昇する。
【０００６】
この種の問題を解決するために、様々な電気接続箱が用いられている。例えば、電気接続箱のケース上面にフィンを露出させ、表面積を多くして電気接続箱内部の放熱を行っている（例えば、特許文献１及び２参照）。また、装着された回路基板に放熱板を積層し、放熱板を介して熱をケース等に伝達させて放熱を行っている（例えば、特許文献２及び３）。
【特許文献１】特開２００２−３２５３３６
【特許文献２】特開２００６−１３６１４７
【特許文献３】特開２００６−１２１７８７
【発明の開示】
【発明が解決しようとする課題】
【０００７】
前述した特許文献１及び２等に記載された電気接続箱は、ケース上面にフィンを露出させていた。このため、ケース上面からさらに上方向に延びるフィンのスペースを確保する必要があり、電気接続箱が大型化する傾向があった。また前述した特許文献２及び３等に記載された電気接続箱は、別部品として放熱板を設けていた。このため、部品数が増加し、コストの高騰化に繋がる虞があった。
【０００８】
したがって、本発明の目的は、簡単な構造でありながら電気部品及び内部の温度上昇を抑えることができる電源分配ユニット及び該電源分配ユニットを備えた電子接続箱を提供することにある。
【課題を解決するための手段】
【０００９】
前記課題を解決し目的を達成するために、請求項１に記載の本発明の電源分配ユニットは、第一の電気部品を実装した第一のバスバーと、第二の電気部品を介して前記第一のバスバーと電気的に接続される第二のバスバーと、前記第一のバスバーと前記第二のバスバーとを収容するケースと、を備えた電源分配ユニットにおいて、前記第一の電気部品と前記第二のバスバーとを互いに接触させるように配置したことを特徴としている。
【００１０】
請求項２に記載の本発明の電源分配ユニットは、請求項１に記載の電源分配ユニットにおいて、前記第二のバスバーが、前記ケースの外部に露出した露出部を備えたことを特徴としている。
【００１１】
請求項３に記載の本発明の電気接続箱は、箱本体と、前記箱本体に取り付けられる電源分配ユニットと、を備えた電気接続箱において、前記電源分配ユニットとして請求項１または請求項２記載の電源分配ユニットを備えたことを特徴としている。
【００１２】
請求項１に記載した本発明の電源分配ユニットによれば、第一の電気部品と第二のバスバーとを接触させるように配置している。このため、第一の電気部品が発生する熱は、バスバーに効率よく伝達される。
【００１３】
請求項２に記載した本発明の電源分配ユニットによれば、第二のバスバーが、ケースの外部に露出した露出部を備えている。このため、第二のバスバーに伝達された熱は、露出部から効率よく放熱される。
【００１４】
請求項３に記載した本発明の電源分配ユニットによれば、前述した請求項１ないし請求項３に記載した電源分配ユニットを備えている。このため、電気接続箱に装着される電源分配ユニットは、効果的な放熱構造を有している。
【発明の効果】
【００１５】
以上説明したように、請求項１に記載の本発明は、第一の電気部品と第二のバスバーとを接触させるように配置している。このため、第一の電気部品が発生する熱は、バスバーに効率よく伝達される。したがって、簡単な構造でありながら、電気部品の発熱を抑えることができる。よって、電源分配ユニットをより安定に作動させることができる。
【００１６】
請求項２に記載した本発明は、第二のバスバーが、ケースの外部に露出した露出部を備えている。このため、第二のバスバーに伝達された熱は、露出部から効率よく放熱される。したがって、簡単な構造でありながら、効率よく放熱を行って電気部品の発熱による電源分配ユニット内部の温度上昇を抑えることができる。よって、電源分配ユニットをより安定に作動させることができる。
【００１７】
請求項３に記載した本発明は、電気接続箱が、前述した請求項１ないし請求項３に記載した電源分配ユニットを備えている。このため、電気接続箱に装着される電源分配ユニットは、効果的な放熱構造を有している。したがって、安定に作動する電源分配ユニットが装着された電気接続箱を提供することができる。
【発明を実施するための最良の形態】
【００１８】
以下、本発明の一実施形態にかかる電気接続箱を、図１ないし図６を参照して説明する。本実施形態にかかる図１に示す電気接続箱１は、移動体としての自動車に搭載される。
【００１９】
電気接続箱１は、図１に示すように、箱本体２と、電源分配ユニット３と、電線カバー４等を備えている。箱本体２は、図１に示すように、本体部５と、複数のカセットブロック６（一つのみ図示する）と、図示しないアッパカバーと、ロアカバー７とを備えている。本体部５は、絶縁性の合成樹脂で構成され、周知の射出成型によって成型される。本体部５は、互いに連なる複数の外壁８により筒状に形成されている。また、本体部５には、該本体部５内を仕切る隔壁９が設けられている。
【００２０】
カセットブロック６は、本体部５内に収容可能な大きさの箱状に形成されている。カセットブロック６は、本体部５の開口（図１中の下方側）を通して、本体部５内に収容される。カセットブロック６は、図示しない端子金具を収容している。カセットブロック６の図１中下方側の表面（以下、下面と呼ぶ）には、図示しないワイヤハーネスのコネクタが嵌合する。該ワイヤハーネスは、勿論、複数の電線と、該電線の端末に取り付けられたコネクタ等を備えている。
【００２１】
また、カセットブロック６の図１中の上方側の表面（以下、上面と呼ぶ）には、電源分配ユニット３、リレー１１や図示しないヒューズ等が装着される。さらに、一つのカセットブロック６の上面には、電線カバー４の図１中の奥側に配置された図示しない端子取付部が設けられている。端子取付部には、電源に接続された電線の端末に取り付けられた端子金具が取り付けられる。端子金具は、厚手の板金が折り曲げられる等して得られる。なお、電源分配ユニット３については後で詳細に説明する。
【００２２】
前述したカセットブロック６内の端子金具は、ワイヤハーネスのコネクタの端子金具と、電源分配ユニット３、リレー１１やヒューズ等と、前述した端子取付部とを接続する。カセットブロック６は、ワイヤハーネスの電線と、前述した電源分配ユニット３、リレー１１やヒューズ等と、電源に接続された電線とを、予め定められたパターンにしたがって互いに電気的に接続する。
【００２３】
アッパカバーは、絶縁性の合成樹脂で構成され、周知の射出成型によって成型される。アッパカバーは、互いに連なる複数の外壁を備えて、有底筒状に形成されている。アッパカバーは、本体部５の図１中の上方側を覆う状態で、該本体部に取り付けられる。
【００２４】
ロアカバー７は、絶縁性の合成樹脂で構成され、周知の射出成型によって成型される。ロアカバー７は、互いに連なる複数の外壁１０を備えて、有底筒状に形成されている。ロアカバー７は、本体部５の図１中の下方側を覆う状態で、該本体部５に取り付けられる。
【００２５】
箱本体２は、本体部５に装着されたカセットブロック６に前述した電源分配ユニット３、リレー１１やヒューズ等を装着するとともに、前述した端子取付部に端子金具を取り付けて、本体部５に前述したようにアッパカバーとロアカバー７とを取り付けることで、前述した電源分配ユニット３、リレー１１やヒューズ等や端子金具を収容する。
【００２６】
電線カバー４は、絶縁性の合成樹脂で構成され、周知の射出成形により成形される。電線カバー４は、図１に示すように、本体部１２と、覆い壁１３等を一体に備えている。
【００２７】
覆い壁１３は、該電線カバー４が箱本体２等に取り付けられた状態で、電線カバー４の本体部１２の周縁から電気接続箱１の内側に向かって立設している。覆い壁１３は、端子取付部と、端子取付部に取り付けられた端子金具及び電線とを覆うように配置される。
【００２８】
前述した構成の電気接続箱１は、以下のように組み立てられる。まず、箱本体２の本体部５に各カセットブロック６を取り付ける。そして、各カセットブロック６の上面に、電源分配ユニット３、リレー１１やヒューズ等の電気部品を装着するとともに、下面にワイヤハーネスのコネクタを嵌合させる。
【００２９】
その後、本体部５にロアカバー７を取り付ける。そして、電線が取り付けられた端子金具を端子取付部に取り付ける。そして、電線カバー４を本体部５に取り付けて、アッパカバーを本体部５に取り付ける
【００３０】
こうして、前述した構成の電気接続箱１が組み立てられる。そして、電気接続箱１は、自動車に搭載される。電気接続箱１は、ワイヤハーネスが接続した自動車の電子機器と、電源分配ユニット３、リレー１１やヒューズ等の電気部品と、前述した電線が接続した電源とを、予め定められたパターンにしたがって互いに電気的に接続する。
【００３１】
電源分配ユニット３は、図３に示すように、ケース２１と、第一の電気部品としてのリレー２２と、第二の電気部品としてのヒューズ２０と、第一のバスバー４５と、第二のバスバー４３と、端子金具４４等を備えている。
【００３２】
ケース２１は、図３等に示すように、上ケース２４と、下ケース２５と、ケース本体２６と、を備えている。上ケース２４は、図２に示すように、上壁２８と、上壁２８の周縁に連なる周壁２９とを備え、扁平な箱状に形成されている。上壁２８には、図２に示すように、ヒューズ装着部５７が複数設けられている。ヒューズ装着部５７には、ヒューズ２０が装着される。
【００３３】
下ケース２５は、図３に示すように、略平坦な底壁３０と、底壁３０の周縁に連なる複数の周壁３１と、周壁３１と連なる複数の隔壁３２と、を備えて、箱状に形成されている。底壁３０には、端子孔３３が複数形成されている。
【００３４】
端子孔３３は、底壁３０を貫通して設けられている。端子孔３３には、第一のバスバー４５の後述する端子５５と端子金具４４の後述する端子５２とが侵入する。端子孔３３は、底壁３０の長手方向に沿って二列平行に配置されている。一方の列には端子５５が侵入し、他方の列には端子５２が侵入する。端子孔３３は、底壁３０の幅方向の一端部３０ａ側（図３中右側）に寄って配置されている。
【００３５】
周壁３１は、底壁３０の周縁に連なり、上ケース２４から離れる方向に延びている。周壁３１は、図３及び図６に示すように、切り欠き部３４と、係合部３５（図６）と、を備えている。
【００３６】
切り欠き部３４は、底壁３０の端子孔３３から離れた他端部３０ｂ側（図３中左側）の周縁に連なる周壁３１を切り欠いて形成されている。切り欠き部３４は、周壁３１の端部から底壁３０に近づく方向に周壁３１を切り欠いている。切り欠き部３４によって、底壁３０の他端部３０ｂ側に連なる周壁３１は低く（底壁３０からの距離が短く）形成されている。
【００３７】
底壁３０の一端部３０ａ側の周縁に連なる（即ち、切り欠き部３４に切り欠かれていない）下ケース２５の周壁３１と、隔壁３２とは、コネクタフード部３６を形成する。コネクタフード部３６内には、図４に示すように、端子孔３３に侵入した第一のバスバー４５の後述する端子５５と端子金具４４の後述する端子５２とが突出する。コネクタフード部３６には、図示しないワイヤハーネスのコネクタが取り付けられ、端子５５、５２はコネクタの端子金具を介して外部と電気的に接続される。
【００３８】
係合部３５は、周壁３１に複数設けられ、図６中では二つが示されている。係合部３５は、周壁３１の外面から凸に設けられている。係合部３５には、上ケース２４の周壁２９に設けられた係合受け部（図示せず）と係合する係合突起３５ａが設けられている。係合受け部と係合突起３５ａとが係合することによって、上ケース２４が下ケース２５に取り付けられる。
【００３９】
上ケース２４が下ケース２５に取り付けられると、図３に示すように、上ケース２４の周壁２９の端部は、下ケース２５の切り欠き部３４に切り欠かれた周壁３１の端部と並ぶ位置に位置付けられる。そして、下ケース２５の切り欠き部３４に切り欠かれていない周壁３１の端部と隔壁３２の端部とはケース２１の外部に露出されて、前述したコネクタフード部３６はケース２１の外部に露出される。
【００４０】
また、上ケース２４が下ケース２５に取り付けられると、上ケース２４の周壁２９の内面と下ケース２５の係合部３５の外面とが略接触するように配置される。そして、上ケース２４の周壁２９の内面と下ケース２５の周壁３１の外面との間には、図３等に示すように、開口部２７が形成される。開口部２７からは、第二のバスバー４３の後述する露出部４８が露出される。
【００４１】
ケース本体２６は、下ケース２５の底壁３０から立設するように下ケース２５に取り付けられる。ケース本体２６は、図３及び図６に示すように、平板部３７と、それぞれ平板部３７から突出したバスバー受け片３８とリレー受け片３９（図６）と端子受け部５８と、を備えている。
【００４２】
平板部３７は、平板状に形成され、平面形状が矩形状に形成されている。平板部３７は、底壁３０の長手方向に平行になるように配置されている。平板部３７の一方の外面３７ａ（図３）には、端子金具４４が重ね合わされる。また、平板部３７の一方の外面３７ａと反対側の他方の外面３７ｂには、リレー２２が取り付けられる。
【００４３】
バスバー受け片３８は、平板部３７の前述した他方の外面３７ｂから突出して複数設けられている。バスバー受け片３８は、それぞれ、平板部３７の下ケース２５から離れた端部に設けられている。バスバー受け片３８は、図６に示すように、それぞれ、一対の垂直部３８ａと、一対の垂直部３８ａの中央部を連結する平行部３８ｂと、を備えている。平行部３８ｂの上面には、それぞれ、第二のバスバー４３の後述する折り曲げ部４７が重ねられる。
【００４４】
リレー受け片３９は、平板部３７の前述した他方の外面３７ｂから突出して複数設けられている。リレー受け片３９は、それぞれ、リレー２２の側面と接するように設けられている。二つのリレー受け片３９の間には、一つのリレー２２が位置付けられて取り付けられる。
【００４５】
端子受け部５８は、平板部３７の前述した他方の外面３７ｂに設けられている。端子受け部５８には、リレー２２の後述するリレー端子４１と、第一のバスバー４５の後述するリレー接続端子５１ａや端子金具４４の後述するリレー接続端子５１ｂが位置付けられる。端子受け部５８には、リレー接続端子５１ａ、５１ｂが侵入する貫通孔が形成されている。
【００４６】
前述した構成のケース２１は、下ケース２５にケース本体２６が取り付けられて、そして下ケース２５に上ケース２４が取り付けられて組み立てられる。ケース２１内には、リレー２２と、第一及び第二のバスバー４５、４３と、端子金具４４等が収容される。
【００４７】
リレー２２は、図６では二つ設けられている。リレー２２は、図６に示すように、本体部２３と、複数のリレー端子４１と、を備えている。本体部２３は、複数のリレースイッチと、複数のリレーコイルと、該リレースイッチと該リレーコイル等を収容するカバー部４０と、を備えている。カバー部４０は、絶縁性の合成樹脂等の材料から形成されている。カバー部４０のケース本体２６から離れた外面４０ａは、第二のバスバー４３と接触する。
【００４８】
リレー端子４１は、カバー部４０から突出して設けられている。リレー端子４１は、一端部側でリレースイッチやリレーコイルと電気的に接続されている。リレー端子４１は、他端部側で第一のバスバー４５の後述するリレー接続端子５１ａや端子金具４４の後述するリレー接続端子５１ｂと接続される。リレー端子４１とリレー接続端子５１ａ、５１ｂとは、溶接等によって接合される。
【００４９】
前述した構成のリレー２２は、ケース本体２６と接触するようにケース本体２６に取り付けられる。リレー２２の側面はケース本体２６のリレー受け片３９と接触し、リレー端子４１はケース本体２６の端子受け部５８に収容される。そして、リレー２２のカバー部４０の外面４０ａは、第二のバスバー４３と接触する。
【００５０】
ヒューズ２０は、一対の端子２０ａ、２０ｂと、一対の端子２０ａ、２０ｂの間に介在する導電性の可溶体２０ｃと、を備えている。一方の端子２０ａは、第一のバスバー４５の後述するヒューズ接続部５４に取り付けられる。他方の端子２０ｂは、第二のバスバー４３の後述するヒューズ接続部５０に取り付けられる。ヒューズ２０がヒューズ接続部５４、５０に取り付けられると、ヒューズ２０を介して第一のバスバー４５と第二のバスバー４３とが電気的に接続する。ヒューズ２０は、可溶体２０ｃが溶断することで、予め定められた電流値を超える電力が各電子機器に供給されることを防ぐ。
【００５１】
第一のバスバー４５は、導電性を有する金属等の材料から形成されている。第一のバスバー４５は、図３に示すように、下ケース２５の底壁３０から立設するように下ケース２５に取り付けられる。第一のバスバー４５は、所定のパターンを構成する複数のバスバー片４５ａを備えている。
【００５２】
複数のバスバー片４５ａは、それぞれ、第一及び第二の絶縁板４２ａ、４２ｂの間に挟まれて一体に保持されている。第一及び第二の絶縁板４２ａ、４２ｂは、それぞれ、絶縁性の合成樹脂等の材料から形成されている。第一及び第二の絶縁板４２ａ、４２ｂは、それぞれ、平板状に形成され、平面形状が矩形状に形成されている。第一の絶縁板４２ａは、バスバー片４５ａのケース本体２６に近い側に配置される。第二の絶縁板４２ｂは、バスバー片４５ａのケース本体２６から離れた側に配置される。
【００５３】
バスバー片４５ａは、それぞれ、板状に形成された平板部５３を備えている。複数のバスバー片４５ａは、リレー接続端子５１ａと、ヒューズ接続部５４と、端子５５と、を備えている。
【００５４】
リレー接続端子５１ａは、平板部５３からリレー２２に近づく方向に突出して設けられている。リレー接続端子５１ａは、ケース本体２６の端子受け部５８の貫通孔に侵入し、ケース本体２６の他方の外面３７ｂ側に突出する。リレー接続端子５１ａは、それぞれ、リレー２２の一つのリレー端子４１と電気的に接続される。
【００５５】
ヒューズ接続部５４は、平板部５３の下ケース２５から離れた端部から、下ケース２５から離れる方向に延びて設けられている。ヒューズ接続部５４は、第二のバスバー４３の後述するヒューズ接続部５０より、電源からの電力が流れる方向の下流側に位置する。ヒューズ接続部５４には、図５に示すように、それぞれ、切り欠き状の挿入部５４ａが形成されている。挿入部５４ａには、それぞれ、一つのヒューズ２０の一方の端子２０ａが挿入される。
【００５６】
端子５５は、平板部５３の下ケース２５寄りの端部から、上ケース２１から離れる方向に延びて設けられている。端子５５は、ヒューズ接続部５４と反対方向に延びている。端子５５は、底壁３０の端子孔３３に侵入して、コネクタフード部３６内に突出する。端子５５は、図４に示すように、底壁３０の長手方向に沿ってコネクタフード部３６内に突出する。端子５５は、コネクタフード部３６に取り付けられるワイヤハーネスのコネクタの端子金具と電気的に接続される。
【００５７】
前述した第一のバスバー４５は、複数のヒューズ２０を介して第二のバスバー４３と電気的に接続される。第一のバスバー４５は、ヒューズ２０と、リレー２２と、ワイヤハーネスのコネクタの端子金具とを、予め定められたパターンにしたがって互いに電気的に接続する。
【００５８】
第二のバスバー４３は、導電性を有する金属等の材料から形成されている。第二のバスバー４３は、図５に示すように、ケース本体２６に取り付けられたリレー２２を覆うように配置される。第二のバスバー４３は、図５等に示すように、平板部４６と、複数の折り曲げ部４７と、複数の露出部４８と、電源供給部４９と、を一体に備えている。
【００５９】
平板部４６は、平面形状が略矩形状に形成されている、平板部４６のリレー２２に相対する内面４６ａは、図３に示すように、リレー２２の前述した外面４０ａと接するように配置される。平板部４６の下端は、下ケース２５の底壁３０近傍に位置するように配置される。
【００６０】
折り曲げ部４７は、平板部４６の下ケース２５から離れた端部から、リレー２２に近づく方向に複数設けられている。折り曲げ部４７は、平板部４６に対して直交する方向に延びている。折り曲げ部４７は、ケース本体２６のバスバー受け片３８に取り付けられる。折り曲げ部４７の下面は、バスバー受け片３８の平行部３８ｂの上面と重なり合う。折り曲げ部４７の先端には、それぞれ、ヒューズ接続部５０が設けられている。
【００６１】
ヒューズ接続部５０は、折り曲げ部４７の先端から、下ケース２５から離れる方向に延びて設けられている。ヒューズ接続部５０は、第一のバスバー４５のヒューズ接続部５４より、電源からの電力が流れる方向の上流側に位置する。ヒューズ接続部５０には、それぞれ、切り欠き状の挿入部５０ａが形成されている。挿入部５０ａには、それぞれ、一つのヒューズ２０の他方の端子２０ｂが挿入される。
【００６２】
第二のバスバー４３の一つのヒューズ接続部５０は、それぞれ、第一のバスバー４５の一つのヒューズ接続部５４と互いに相対するように配置される。そして、互いに相対したそれぞれのヒューズ接続部５０、５４の間に一つのヒューズ２０が装着され、第二のバスバー４３と第一のバスバー４５とはヒューズ２０を介して電気的に接続する。
【００６３】
露出部４８は、平板部４６の下ケース２５寄りの端部から延出して複数形成されている。露出部４８は、図５に示すように、それぞれ、互いの間に下ケース２５の係合部３５を位置付けるように設けられている。露出部４８の端部は、図３に示すように、下ケース２５の切り欠き部３４に切り欠かれた周壁３１の端部より下側に位置付けられる。露出部４８の端部は、下ケース２５に上ケース２４が取り付けられると、下ケース２５の周壁３１と上ケース２４の周壁２９との間の前述した開口部２７からケース２１の外部に露出される。
【００６４】
電源供給部４９は、平板部４６の下ケース２５から離れた端部から立設されている。電源分配ユニット３が電気接続箱１に取り付けられると、電源供給部４９には、電源からの電力が一元的に供給される。電源供給部４９は、電源からの電力を電源分配ユニット３内に供給する。
【００６５】
前述した構成の第二のバスバー４３は、電源供給部４９から入力された電源からの電力を、ヒューズ接続部５０からヒューズ２０を介して第一のバスバー４５のそれぞれのヒューズ接続部５４に分配して供給する。
【００６６】
前述した構成の第二のバスバー４３は、折り曲げ部４７をケース本体２６のバスバー受け片３８に取り付け、平板部４６をリレー２２と接触するように取り付ける。そして、上ケース２４を取り付けると、平板部４６は上ケース２４の周壁２９とリレー２２との間に挟まれ、第二のバスバー４３は固定される。
【００６７】
端子金具４４は、ケース本体２６と第一の絶縁板４２ａとの間に複数配置されている。端子金具４４は、図３及び図４に示すように、平板部５６と、リレー接続端子５１ｂと、端子５２（図４）と、を備えている。平板部５６は、平板状に形成されている。平板部５６は、ケース本体２６の一方の外面３７ａと第一の絶縁板４２ａとに重なり合うように配置される。
【００６８】
リレー接続端子５１ｂは、平板部５６からリレー２２に近づく方向に突出して複数設けられている。リレー接続端子５１ｂは、ケース本体２６の端子受け部５８の貫通孔に侵入し、ケース本体２６の他方の外面３７ｂ側に突出する。リレー接続端子５１ｂは、それぞれ、リレー２２の一つのリレー端子４１と電気的に接続される。
【００６９】
端子５２は、平板部５６の下ケース２５寄りの端部から、上ケース２１から離れる方向に延びて複数設けられている。端子５２は、底壁３０の端子孔３３に侵入して、コネクタフード部３６内に突出する。端子５２は、底壁３０の長手方向に沿って、コネクタフード部３６内に突出する。端子５２は、第一のバスバー４５の端子５５と間隔をあけて、互いに平行に並んで突出する。端子５２は、端子５５よりも底壁３０の他端部３０ｂ側に突出する。端子５２は、コネクタフード部３６に取り付けられたワイヤハーネスのコネクタの端子金具と電気的に接続される。
【００７０】
前述した構成の端子金具４４は、リレー２２と、ワイヤハーネスのコネクタの端子金具とを、予め定められたパターンにしたがって互いに電気的に接続する。
【００７１】
前述した構成の電源分配ユニット３を組み立てる際には、まず、ケース本体２６と、端子金具４４と、第一の絶縁板４２ａと第二の絶縁板４２ｂとに挟まれた第一のバスバー４５と、を順に重ね合わせる。ケース本体２６からリレー接続端子５１ａ、５１ｂが突出する。ケース本体２６にリレー２２を取り付け、リレー接続端子５１ａ、５１ｂとリレー２２のリレー端子４１とを接合する。第一のバスバー４５の端子５５と端子金具４４の端子５２とを底壁３０の端子孔３３に侵入させて、下ケース２５の底壁３０に取り付ける。
【００７２】
続いて、第二のバスバー４３の折り曲げ部４７をケース本体２６のバスバー受け片３８に重ね合わせ、第二のバスバー４３をリレー２２を覆うように取り付ける。
【００７３】
下ケース２５に上ケース２４を取り付けて、上ケース２４の周壁２９とリレー２２との間に第二のバスバー４３を挟んで固定する。上ケース２４のヒューズ装着部５７にヒューズ２０を取り付けて、下ケース２５のコネクタフード部３６にワイヤハーネスのコネクタを取り付ける。
【００７４】
こうして、前述した構成の電源分配ユニット３が組み立てられる。そして、電源分配ユニット３は、電気接続箱１に装着される。第二のバスバー４３の電源供給部４９には、電源分配ユニット３内に電源からの電力が供給される。電源分配ユニット３は、電気接続箱１の端子取付部と、リレー２２やヒューズ２０と、ワイヤハーネスのコネクタとを、予め定められたパターンにしたがって互いに電気的に接続する。
【００７５】
前述のように電源分配ユニット３が組み立てられると、リレー２２のカバー部４０の外面４０ａと第二のバスバー４３の平板部４６の内面４６ａとが接触する。通電した際にリレー２２が放出する熱は、リレー２２と第二のバスバー４３との接触部を介して第二のバスバー４３に効率よく伝達される。さらに、第二のバスバー４３の露出部４８は、開口部２７を通ってケース２１の外部に露出しており、露出部４８が外気に接触することによって第二のバスバー４３の放熱が促される。以上のように、リレー２２の放熱が行われ、リレー２２や電源分配ユニット３内の温度上昇が抑えられる。
【００７６】
本実施形態によれば、リレー２２と第二のバスバー４３とを接触させるように配置している。このため、リレー２２が発生する熱は、第二のバスバー４３に効率よく伝達される。したがって、簡単な構造でありながら、リレー２２の発熱を抑えることができる。よって、電源分配ユニット３をより安定に作動させることができる。
【００７７】
第二のバスバー４３が、ケース２１の外部に露出した露出部４８を備えている。このため、第二のバスバー４３に伝達された熱は、露出部４８から効率よく放熱される。したがって、簡単な構造でありながら、効率よく放熱を行ってリレー２２の発熱による電源分配ユニット３内部の温度上昇を抑えることができる。よって、電源分配ユニット３をより安定に作動させることができる。
【００７８】
電気接続箱１が、前述の電源分配ユニット３を備えている。このため、電気接続箱１に装着される電源分配ユニット３は、効果的な放熱構造を有している。したがって、安定に作動する電源分配ユニット３が装着された電気接続箱１を提供することができる。
【００７９】
本実施形態においては、第二のバスバー４３の露出部４８がケース２１の開口部２７から外部に露出していた。しかしながら、本発明では、露出部４８が設けられていなくてもよい。この場合、第二のバスバー４３の平板部４６の下ケース２５寄りの端部が開口部２７近傍に位置付けられ、該端部が外気に接触することによって放熱が促される。
【００８０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８１】
【図１】本発明の一実施形態にかかる電気接続箱の斜視図である
【図２】図１に示された電源分配ユニットの斜視図である。
【図３】図２中のＩＩＩ−ＩＩＩ線に沿う断面図である。
【図４】図２に示された電源分配ユニットの別方向からの斜視図である。
【図５】図２に示された電源分配ユニットの上ケースを外した斜視図である。
【図６】図５に示された電源分配ユニットの第二のバスバーを外した斜視図である。
【符号の説明】
【００８２】
１    電気接続箱
２    箱本体
３    電源分配ユニット
２０    ヒューズ（第二の電気部品）
２１    ケース
２２    リレー（第一の電気部品）
２４    上ケース
２５    下ケース
２６    ケース本体
２７    開口部
４０    カバー部
４０ａ    外面
４３    第二のバスバー
４５    第一のバスバー
４６    平板部
４６ａ    内面
４８    露出部
【図１】
2008125304.tif 000003
【図２】
2008125304.tif 000004
【図３】
2008125304.tif 000005
【図４】
2008125304.tif 000006
【図５】
2008125304.tif 000007
【図６】
2008125304.tif 000008